(57)【要約】【課題】衣類出し入れの操作性を向上させた洗濯乾燥機を提供すること。【解決手段】外槽３の上部開口縁を気密的に覆い、略中央部に洗濯物出し入れ口７２が形成された外槽カバー１９と、洗濯物出し入れ口７２を開閉自在に覆う外槽カバー蓋７１とを備え、外槽カバー蓋７１は、後部両端部に形成した軸端部９４を外槽カバー１９に形成した軸受け部７８と回動自在に嵌合し、外槽カバー１９と着脱自在とすることにより、乾燥コースでは、外槽カバー蓋７１により乾燥効率を損なうことがなく、乾燥以外のコースでは、外槽カバー蓋７１を取り外して使用できるので、衣類出し入れの操作性を向上することができる。また、外槽３と上部枠体４８が接続されていないので、振動が大きくなることを防止することができる。【選択図】図３
2015167702.tif 000002
【特許請求の範囲】
【請求項１】
筺体と、前記筺体上部に設けられた上部枠体と、前記上部枠体に形成された上部洗濯物出し入れ口と、前記上部洗濯物出し入れ口を開閉自在に覆う外蓋と、洗濯物を収容する内槽を回転自在に内包し、前記筺体に防振支持された外槽と、前記外槽の上部開口縁を気密的に覆い、洗濯物出し入れ口が形成された外槽カバーと、前記洗濯物出し入れ口を開閉自在に覆う外槽カバー蓋とを備え、前記外槽カバー蓋は、前記外槽カバーに着脱自在とした洗濯乾燥機。
【請求項２】
外槽カバー蓋は、後部端側に、左右に摺動可能な可動軸部Ａと可動軸部Ｂ、及び解除ボタンを有し、前記解除ボタンを前後方向に摺動させることにより、前記可動軸部Ａ及び前記可動軸部Ｂを左右方向へ摺動させ、前記可動軸部Ａ及び前記可動軸部Ｂの両端部を前記外槽カバーの軸受け部に着脱自在に係止した請求項１に記載の洗濯乾燥機。
【請求項３】
外槽カバー蓋は、解除ボタンを前後方向に摺動させることにより、解除ボタンに形成したガイドリブが可動軸部Ａ及び可動軸部Ｂにそれぞれ形成した三角形状リブの斜辺部と当接し、前記可動軸部Ａ及び前記可動軸部Ｂを左右方向に摺動させる請求項１または２に記載の洗濯乾燥機。
【発明の詳細な説明】
【技術分野】
【０００１】
本発明は、洗い、すすぎ、脱水、乾燥行程を行なう洗濯乾燥機に関するものである。
【背景技術】
【０００２】
従来、この種の洗濯乾燥機は、洗濯物を投入する投入口と洗濯を行う洗濯槽とを連結して気密を保つためのシール部材を有する構成が提案されている（例えば、特許文献１参照）。
【０００３】
図５は、従来の洗濯乾燥機の縦断面図、図６は、同洗濯乾燥機の洗濯物投入口付近の要部断面図、図７は、同洗濯乾燥機の動作を示した概略断面図である。
【０００４】
図５、図６、図７において、洗濯乾燥機１０１は、洗濯物を出し入れする上部洗濯物投入口１１２を有する上面板１１１が天面部を構成する外箱１１０と、外箱１１０に収容される水槽１２０と、水槽１２０に収容され、底部にパルセータ１３２が設けられた脱水槽１３０と、脱水槽１３０に空気を吹き込む送風機１５０と、送風機１５０が吹き出す空気を加熱するヒータ１５４と、水槽１２０の口縁部と上面板１１１の洗濯物投入口１１２を接続するベローズ１２１などを備えている。また、上部洗濯物投入口１１２を開閉自在に覆う蓋が設けられている。
【０００５】
ベローズ１２１は、下端部は水槽１２０に接続され、上端部は外箱１１０に取り付けられた保持部材１９０の洗濯物投入口１９２に接続されている。また、保持部材１９０の洗濯物投入口１９２に上面板１１１の上部洗濯物投入口１１２が接続されている。
【０００６】
ここで、洗濯から乾燥までの動作について説明する。
【０００７】
まず、上面板１１１の上部洗濯物投入口１１２上方の蓋１１３を開け、脱水槽１３０に洗濯物と洗剤を投入する。蓋を閉じ、操作部（図示せず）の中の操作ボタン群を操作して洗濯条件を選び、スタートボタンを押すと、制御部（図示せず）は洗濯行程の洗い行程をスタートさせる。
【０００８】
洗い行程では、制御部は、最初給水弁（図示せず）を開き、脱水槽１３０に給水する。脱水槽１３０に所定量の水が溜まったところで、制御部は給水弁を閉じ、クラッチ１４３によりパルセータ軸１４５をモータ１４１に連結し、モータ１４１を駆動する。
【０００９】
これにより、パルセータ１３２が回転し、脱水槽１３０の中の水を攪拌する。投入されていた洗剤が水に溶け、その水の中で洗濯物が揺り動かされることにより、洗濯が行われる。この時、脱水槽１３０は、ブレーキ（図示せず）により制動をかけられ、脱水槽１３０が水流で動かされるのを防いでいる。所定時間経過後モータ１４１は停止し、洗い行程は終了する。この後、すすぎ行程の前の脱水行程に入る。
【００１０】
すすぎ行程の前の脱水行程では、制御部は、クラッチ１４３を制御して脱水軸１４４をモータ１４１に連結し、ブレーキ（図示せず）による制動を解除して、モータ１４１を駆動する。これにより脱水槽１３０が脱水回転を行い、パルセータ１３２が脱水槽１３０と共に回転する。
【００１１】
脱水槽１３０が高速で回転すると、洗濯物は、遠心力により脱水槽１３０の周壁に押し付けられ、洗濯物から脱水された洗濯水は、脱水槽１３０内周壁に集まってくる。脱水槽
１３０内周壁は、上方にテーパ状に広がっているため、洗濯水は、遠心力により脱水槽１３０の内面を上昇する。洗濯水は、脱水槽１３０の上端のバランサ１３１の下まで上昇したところで脱水孔から放出され、水槽１２０の内面で受け止められる。水槽１２０の内面で受け止められた洗濯水は、水槽１２０の底部に流れ落ち、図示しない排水ホースを通って外箱１１０の外に排水される。そして、所定の脱水時間が経過した後、制御部は、モータ１４１を停止し、ブレーキによって制動し、脱水槽１３０の回転を止める。そしてすすぎ行程に入る。
【００１２】
すすぎ行程では、制御部は、給水弁を開き、脱水槽１３０に給水する。脱水槽１３０に所定量の水が溜まったところで、制御部は、クラッチ１４３を制御してパルセータ軸１４５をモータ１４１に連結し、モータ１４１を駆動する。これにより、パルセータ１３２が回転し、脱水槽１３０の中の水が攪拌され、すすぎが行われる。すすぎ行程が終了すると、脱水行程を実行して洗濯行程を終了し、その後乾燥行程に移る。
【００１３】
乾燥行程では、制御部は、送風機１５０を駆動し、ヒータ１５４に通電する。すると、吹き込みダクト１５１から温風が吹き出し、脱水槽１３０に吹き込まれる。温風は脱水槽１３０の内部を加熱した後、還流ダクト１５２に吸い込まれ、送風機１５０に戻される。これらの動作により、乾燥行程が行われていく。
【先行技術文献】
【特許文献】
【００１４】
【特許文献１】特開２０１２−６１２７５号公報
【発明の概要】
【発明が解決しようとする課題】
【００１５】
しかしながら、前記従来の構成では、洗濯から乾燥までの一連の行程を運転するコースを選択した場合には、上部洗濯物投入口と水槽の間に気密性を有するベローズが必要であるが、乾燥行程を行なわずに洗濯のみのコースを選択した場合には、上部洗濯物投入口と水槽を密閉する必要がない。そして、このベローズがあるために、洗濯、脱水時に振動を本体上部に伝えてしまい、振動が大きくなる課題があった。
【００１６】
本発明は、前記従来の課題を解決するもので、洗濯工程および脱水工程における振動の増大を抑制できる洗濯乾燥機を提供することを目的としている。
【課題を解決するための手段】
【００１７】
前記従来の課題を解決するために、本発明の洗濯乾燥機は、筺体と、前記筺体上部に設けられた上部枠体と、前記上部枠体に形成された上部洗濯物出し入れ口と、前記上部洗濯物出し入れ口を開閉自在に覆う外蓋と、洗濯物を収容する内槽を回転自在に内包し、前記筺体に防振支持された外槽と、前記外槽の上部開口縁を気密的に覆い、洗濯物出し入れ口が形成された外槽カバーと、前記洗濯物出し入れ口を開閉自在に覆う外槽カバー蓋とを備え、前記外槽カバー蓋は、前記外槽カバーに着脱自在としたものである。
【発明の効果】
【００１８】
本発明の洗濯乾燥機は、洗濯工程および脱水工程における振動の増大を抑制することができる。
【図面の簡単な説明】
【００１９】
【図１】本発明の実施の形態における洗濯乾燥機の縦断面図
【図２】同洗濯乾燥機の操作表示部図
【図３】同洗濯乾燥機の外槽カバー蓋装着時の要部平面図
【図４】同洗濯乾燥機の外槽カバー蓋脱着時の要部平面図
【図５】従来の洗濯乾燥機の縦断面図
【図６】同洗濯乾燥機における洗濯物投入口付近の断面図
【図７】同洗濯乾燥機の概略縦断面図
【発明を実施するための形態】
【００２０】
第１の発明は、筺体と、前記筺体上部に設けられた上部枠体と、前記上部枠体に形成された上部洗濯物出し入れ口と、前記上部洗濯物出し入れ口を開閉自在に覆う外蓋と、洗濯物を収容する内槽を回転自在に内包し、前記筺体に防振支持された外槽と、前記外槽の上部開口縁を気密的に覆い、洗濯物出し入れ口が形成された外槽カバーと、前記洗濯物出し入れ口を開閉自在に覆う外槽カバー蓋とを備え、前記外槽カバー蓋は、前記外槽カバーに着脱自在としたものである。
この構成により、乾燥以外のコースでは、外槽カバー蓋を取り外して使用することによって、衣類出し入れの操作性を向上することができる。また、外槽と上部枠体が接続されていないので、振動が大きくなることをできる。
【００２１】
第２の発明は、特に第１の発明において、外槽カバー蓋は、後部端側に、左右に摺動可能な可動軸部Ａと可動軸部Ｂ、及び解除ボタンを有し、前記解除ボタンを前後方向に摺動させることにより、前記可動軸部Ａ及び前記可動軸部Ｂを左右方向へ摺動させ、前記可動軸部Ａ及び前記可動軸部Ｂの両端部を前記外槽カバーの軸受け部に着脱自在に係止したものである。
【００２２】
この構成により、乾燥以外のコースでは、簡単な操作で外槽カバー蓋を取り外して使用できるので、衣類出し入れの操作性を向上することができる。
【００２３】
第３の発明は、特に第１または第２の発明において、外槽カバー蓋は、解除ボタンを前後方向に摺動させることにより、解除ボタンに形成したガイドリブが可動軸部Ａ及び可動軸部Ｂにそれぞれ形成した三角形状リブの斜辺部と当接し、前記可動軸部Ａ及び前記可動軸部Ｂを左右方向に摺動させるものである。
【００２４】
この構成により、乾燥以外のコースでは、簡単な操作で外槽カバー蓋を取り外して使用できるので、衣類出し入れの操作性を向上することができる。
【００２５】
以下、発明の実施の形態について、図面を参照しながら説明する。また、この実施の形態によって本発明が限定されるものではない。
【００２６】
（実施の形態１）
図１は、本発明の実施の形態における洗濯乾燥機の縦断面図である。
【００２７】
図１において、筐体１は、内部に外槽３を、サスペンション５１を備えた複数の吊り棒２によって弾性的に吊り下げ、脱水時の外槽３の振動をサスペンション５１によって吸収する垂下防振支持構成としている。
【００２８】
外槽３の内部には、衣類および乾燥対象物を収容する内槽４を、中空で２重構造とした洗濯・脱水軸５を中心に回転可能に配設し、内槽４の内底部に衣類や乾燥対象物を攪拌するパルセータ６を回転自在に配している。
【００２９】
また、内槽４の内部周壁には、脱水時の水抜き用、乾燥時の通気用の通気孔４ａを多数設けるとともに、上方には流体バランサ７を設けている。
【００３０】
モータ（駆動手段）８は、外槽３の外底部に取り付け、洗濯または脱水時に回転力の伝達を洗濯・脱水軸５に切り替えるクラッチ９と洗濯・脱水軸５を介して、内槽４またはパルセータ６に連結している。
【００３１】
パルセータ６は、外周部に傾斜面１０を有する略鍋型の形状をし、上面に攪拌用突出部１１を形成し、洗濯行程時に衣類が攪拌されるとともに、乾燥行程において、乾燥対象物をパルセータ６の回転による遠心力で傾斜面に沿って上方へ舞い上がりやすくしている。つまり、衣類は攪拌により、左右（回転方向）に入れ替わるとともに、上下にも入れ替わるという動きをするように構成されている。
【００３２】
熱交換ダクト１２は、循環する湿った空気（循環風）を除湿するもので、一端を伸縮自在の接続ダクト１３を介して外槽３の下部に設けた排水経路口１４に接続し、他端を、空気循環経路１７の入り口側で、ファン１５の下部に位置する循環風受け室４５の一端に接続している。
【００３３】
ファン１５の上部には、ヒータ１６が設けられ、空気循環経路１７の出口側は、空気噴出口２０を有する上部蛇腹状ホース１８に接続されており、循環風受け室４５から内槽４へ繋がり循環する空気循環経路１７を構成し、空気循環経路１７、ファン１５、空気噴出口２０とで、送風手段６５を構成している。空気循環経路１７の入り口側には温度検知手段３５が、出口側には温度検知手段３６が設けられ、乾燥行程時の循環風温度を検知している。
【００３４】
循環風受け室４５内には、フィルター４６が設けられており、循環風は、フィルター４６を通って循環しており、フィルター４６で、衣類から発生した糸くずなどを捕集している。送風手段６５の入り口側の循環風受け口室４５には、注水口６６が形成され、中吸い口６６は、筐体１の上部に配設された上部枠体４８に設けられた支持部材５０に装着された給水弁３２にホース６７によって接続されている。給水弁３２は、２個以上の水路が開閉可能な複数弁構成とし、一方の水路は、小流量で、上記ホース６７にて循環風受け室４５のファン１５より上流側に接続し、他方の水路は、大流量で、給水ホース６８にて注水部材（図示せず）等を介して内槽４に洗濯水として給水可能に接続されている。
【００３５】
外槽３には、外槽３の上部開口縁を気密的に覆う外槽カバー１９を設けており、外槽カバー１９は、中央部分に洗濯物出し入れ口７２を備えている。そして、洗濯物出し入れ口７２を覆うように外槽カバー１９と密着し、乾燥時に内部を循環する空気を気密させるパッキン（図示せず）を設けた外槽カバー蓋７１が設けられ、外槽カバー蓋７１は、前面（図１中左側）から見て左右端に設けた軸端部９４が外槽カバー１９に設けられた一対の軸受け部７８と遊合し、開閉自在となっている。外槽カバー蓋７１周りの構成については、図３、図４にて詳述する。
【００３６】
洗濯物出し入れ口７２の上方には、上部枠体４８の略中央部に形成され、外蓋４９にて開閉自在に覆われる上部洗濯物出し入れ口７３を形成している。
【００３７】
外槽３の底部には、排出経路口１４に接続した接続ダクト１３の下流側の排水ダクト２３に接続され外槽３内の水を排水する排水弁２２を設け、接続ダクト１３と熱交換ダクト１２からの排水を排水ダクト２３および排水弁２２に導き、排水ホース２４から機外へ排水するようにしている。
【００３８】
制御装置４２は、筐体１の背面部（裏カバー）３０に略垂直に配設し、制御装置４２の下側に冷却用送風機２５を設けている。また、制御装置４２は、カバー４３にて覆われ、保護されている。
【００３９】
上部枠体４８の前面部には、運転コースなどを設定し、設定内容や進行度合いを表示する操作表示部３７が設けられ、その内方には操作表示基板３９が設けられている。
【００４０】
そして、制御装置４２の制御手段（図示せず）は、操作表示部３７にて運転内容が選択され、運転開始されると、モータ８、給水弁３２、排水弁２２、送風手段６５などの動作を制御し、洗い、すすぎ、脱水、乾燥などの各行程を制御する。
【００４１】
図２は、本実施の形態における洗濯乾燥機の操作表示部図である。
【００４２】
図２において、操作表示部３７の入力設定手段７０は、行程を選択する行程設定スイッチ７０ａ、水位を設定する水量設定スイッチ７０ｂ、好みの洗濯コースを選択するコース設定スイッチ７０ｃ、洗濯行程、乾燥行程を選択する洗濯／乾燥選択スイッチ７０ｄ、スタート／一時停止スイッチ７０ｅ、電源入スイッチ７０ｆ、電源切スイッチ７０ｇ等で構成されている。
【００４３】
表示手段８０は、設定した行程の表示と進行度合いを行程ＬＥＤ８０ａで表示し、水量や残り時間（時間または分単位）を７セグメントＬＥＤ８０ｂで表示し、設定されたコースをコースＬＥＤ８０ｃで、選択した洗濯行程、乾燥行程を洗濯／乾燥ＬＥＤ８０ｄで表示する。
【００４４】
図３は、本実施の形態における洗濯乾燥機の外槽カバー蓋装着状態の要部平面図、図４は、同外槽カバー蓋脱着操作状態の要部平面図を示すものである。
【００４５】
図３、図４において、外槽カバー蓋７１は、前面（図３および図４中右側）から見て後部端側に左右に摺動することができる可動軸を備えている。可動軸は、可動軸部Ａ９１、可動軸部Ｂ９２を左右に備えている。可動軸部Ａ９１と可動軸部Ｂ９２との間には、両可動軸部を外側に向かって付勢するためのばね９３が設けられている。そして、可動軸部Ａ９１、可動軸部Ｂ９２の外端部側には、それぞれ軸端部９４が形成され、両可動軸部がばね９３によって外側へ付勢されることにより、外槽カバー１９に形成された軸受け部７８に挿入され、外槽カバー１９を回動自在に軸支する。
【００４６】
また、外槽カバー蓋７１の後部端側の中央部には、可動軸部Ａ９１および可動軸部Ｂ９２を左右方向へ摺動させるための解除ボタン９５を設けている。
【００４７】
この解除ボタン９５は、前後方向に摺動することができ、内部に設けたガイドリブ９６は、可動軸部Ａ９１及び可動軸部Ｂ９２のそれぞれに設けた三角形状リブ９７の斜辺部９８に当接している。そして、この解除ボタン９５を、図３の矢印のＡ方向である前方に押し込むと、ガイドリブ９６が三角形状リブ９７の斜辺部９８を押すことにより、図４に示すように、可動軸部Ａ９１及び可動軸部Ｂ９２は、内側方向へ摺動する。
【００４８】
これにより、ばね９３は圧縮され、可動軸部Ａ９１及び可動軸部Ｂ９２の軸端部９４が軸受け部７８から外れ、外槽カバー蓋７１の取り外しを行うことができる。また、解除ボタン９５から手を離すと、可動軸部Ａ９１及び可動軸部Ｂ９２がばね９３の付勢により外側方向に移動して、当初の位置に戻り、軸端部９４が軸受け部７８に挿入される。
【００４９】
また、ばね９３のばね乗数を調整することにより解除ボタン９５の押し込む力を調整することができる。また、両可動軸部に設けた三角形状リブ９７の斜辺部９８形状を変えることでも同様の効果は得られる。
【００５０】
以上のように構成された洗濯乾燥機について、以下その動作、作用を説明する。
【００５１】
操作表示部３７にて、入力設定手段７０の洗濯／乾燥選択スイッチ７０ｄを操作して「洗濯工程+乾燥工程」を選択した場合では、まず使用者は、外蓋４９及び外槽カバー蓋７１を開け、内槽４に衣類と洗剤を投入し、運転を開始する。
【００５２】
洗い行程が始まると、所定の水位まで給水した後、モータ８を駆動する。このとき、伝達機構部のクラッチ９によりモータ８の動力を、洗濯・脱水軸５の洗濯軸を介してパルセータ６に伝達し、パルセータ６が回転することで、衣類がパルセータ６の攪拌用突出部１１に引っかかり、中心部へ引き込まれる。内槽４の中心下層部の衣類は、引き込まれた衣類により、内槽４の上層部へ押し上げられる。このように内槽４内の衣類を攪拌して、衣類同士、または内槽４の内壁やパルセータ６との接触による機械力と、水流力により行われる。すすぎ行程も同様に行なわれる。
【００５３】
脱水行程では、洗濯終了後、排水弁２２を開いて内槽４内の水を排水ホース２４より排水した後、伝達機構部のクラッチ９を脱水側に切り換えて、モータ８の動力を、洗濯・脱水軸５の脱水軸を介し内槽４に伝達して回転させ。衣類に遠心力を与えることにより、水分を衣類から分離することで行う。
【００５４】
乾燥行程では、クラッチ９を洗濯側に切り替えて、モータ８を駆動して回転をパルセータ６に伝達し、パルセータ６を急速に正転、逆転することで、脱水後に内槽４の内壁に張り付いた衣類を引き剥がす。次に、パルセータ６を正転、逆転させて攪拌用突出部１１で衣類を引っ掛けて攪拌しながら、ヒータ１６とファン１５などからなる送風手段６５により温風を空気噴出口２０に送る。空気噴出口２０より内槽４に吹き込まれた温風は、衣類から水分を蒸発させた後、内槽４から外槽３の内側へ出た後、排水経路口１４より接続ダクト１３を通過して、熱交換ダクト１２から空気循環経路１７へ移動して循環する。以上のように乾燥工程が進行する。
【００５５】
乾燥行程を行う際には、外槽３と大気を分離するために、外槽カバー蓋７１を必要とするが、操作表示部３７にて通常の「洗濯のみ」のコースを選択した場合は、必ずしも外槽カバー蓋７１を必要としない。
【００５６】
乾燥行程を選択しない場合においては、外槽カバー蓋７１を取り外せば、外蓋４９のみの開閉操作だけで洗濯物の出し入れができ、使用者の負担を軽減することができる。
【００５７】
操作表示部３７にて、入力設定手段７０の洗濯／乾燥選択スイッチ７０ｄの操作により「洗濯のみ」を選択した場合には、外槽カバー蓋７１は必要とせず、本体より取り外しをしても運転やその機能に支障をきたすことがない。
【００５８】
以上のように、本実施の形態においては、外槽３の上部開口縁を気密的に覆い、略中央部に洗濯物出し入れ口７２が形成された外槽カバー１９と、洗濯物出し入れ口７２を開閉自在に覆う外槽カバー蓋７１とを備え、外槽カバー蓋７１は、後部両端部に形成した軸端部９４を外槽カバー１９に形成した軸受け部７８と回動自在に嵌合し、外槽カバー１９と着脱自在とすることにより、乾燥コースでは、外槽カバー蓋７１により乾燥効率を損なうことが無く、乾燥以外のコースでは、外槽カバー蓋７１を取り外して使用できるので、衣類出し入れの操作性を向上することができる。また、外槽３と上部枠体４８が接続されていないので、振動が大きくなることを防止することができる。
【００５９】
また、外槽カバー蓋７１は、後部端側に、外側に向かって付勢するためのばね９３を中央部に挟んで左右に滑動可能な可動軸部Ａ９１、可動軸部Ｂ９２、および、後部端中央部
に設けた解除ボタン９５を有し、解除ボタン９５を前後方向に摺動させることにより、可動軸部Ａ９１及び可動軸部Ｂ９２を左右方向へ摺動させ、可動軸部Ａ９１及び可動軸部Ｂ９２の両端部に形成した軸端部９４を外槽カバー１９の軸受け部７８に着脱自在に係止する構成とすることにより、乾燥以外のコースでは、簡単な操作で外槽カバー蓋７１を取り外して使用できるので、衣類出し入れの操作性を向上することができる。
【００６０】
また、外槽カバー蓋７１は、解除ボタン９５を前後方向に摺動させることにより、解除ボタン９５に形成したガイドリブ９６が可動軸部Ａ９１及び可動軸部Ｂ９２にそれぞれ形成した三角形状リブ９７の斜辺部９８と当接し、摺動して可動軸部Ａ９１及び可動軸部Ｂ９２を左右方向に摺動させる構成とすることにより、乾燥以外のコースでは、簡単な操作で外槽カバー蓋７１を取り外して使用できるので、衣類出し入れの操作性を向上することができる。
【産業上の利用可能性】
【００６１】
以上のように、本発明にかかる洗濯乾燥機は、乾燥以外のコースでは、外槽カバー蓋を取り外して使用でき、衣類出し入れの操作性を向上することができるので、乾燥機能を有する他の洗濯機などの用途に適用できる。
【符号の説明】
【００６２】
１  筐体
３  外槽
４  内槽
１９  外槽カバー
４８  上部枠体
４９  外蓋
７１  外槽カバー蓋
７２  洗濯物出し入れ口
７３  上部洗濯物出し入れ口
７８  軸受け部
９１  可動軸部Ａ
９２  可動軸部Ｂ
９３  ばね
９４  軸端部
９５  解除ボタン
９６  ガイドリブ
９７  三角形状リブ
９８  斜辺部
【図１】
2015167702.tif 000003
【図２】
2015167702.tif 000004
【図３】
2015167702.tif 000005
【図４】
2015167702.tif 000006
【図５】
2015167702.tif 000007
【図６】
2015167702.tif 000008
【図７】
2015167702.tif 000009